(57)【要約】      （修正有）【課題】使用者が靴を履くまたは脱ぐ効率を高め、靴を履いたり脱いだりしやすくするための靴べらを提供する。【解決手段】靴べらは本体１００を有し、本体は、装着座を備える連接部１１０と、連接部の両端に設けられた２つの受け部１２０と、靴のかかと部を収容するために、連接部と２つの受け部との間に形成された収容口１３０と、収容口と連通するように、２つの受け部において、連接部と反対側の端との間に形成された導引口１４０と、それぞれ対向するように２つの受け部の内側縁から凸設された２つの制限凸縁１５０と、一端に装着端が設けられると共に、装着端が連接部の装着座に挿し込まれる連接棒と、を備えている。【選択図】図１
0003207771.tif 000002
【実用新案登録請求の範囲】
【請求項１】
本体を有する靴べらにおいて、
前記本体が、
装着座を備える連接部と、
前記連接部の両端に設けられた２つの受け部と、
靴のかかと部を挿入させて収容するために、前記連接部と２つの受け部との間に形成された収容口と、
前記収容口と連通するように、前記２つの受け部において前記連接部と、それと反対側の端との間に形成された、導引口と、
それぞれ対向するように前記２つの受け部の内側縁から凸設された２つの制限凸縁と、
一端に装着端が設けられると共に、該装着端が前記連接部の装着座に挿し込まれる、連接棒とを備える、ことを特徴とする靴べら。
【請求項２】
前記連接棒が湾曲状を呈することを特徴とする請求項１に記載の靴べら。
【請求項３】
前記連接棒が直線状を呈することを特徴とする請求項１に記載の靴べら。
【請求項４】
履き補助道具を有し、該履き補助道具の一端に挿設端が設けられ、
前記連接棒の一端に、前記挿設端と連接する受け端が設けられている、ことを特徴とする請求項１に記載の靴べら。
【請求項５】
履き補助道具を有し、該履き補助道具の一端に挿設端が設けられ、
前記連接棒の一端に、前記挿設端と連接する受け端が設けられている、ことを特徴とする請求項２に記載の靴べら。
【請求項６】
履き補助道具を有し、該履き補助道具の一端に挿設端が設けられ、
前記連接棒の一端に、前記挿設端と連接する受け端が設けられている、ことを特徴とする請求項３に記載の靴べら。
【請求項７】
前記２つの制限凸縁が前記受け部と一体に成形されていることを特徴とする請求項１に記載の靴べら。
【請求項８】
前記本体には、複数の強化リブが前記制限凸縁と連接するように設けられていることを特徴とする請求項７に記載の靴べら。
【請求項９】
前記連接部と２つの受け部が一体に形成されていることを特徴とする請求項１に記載の靴べら。
【請求項１０】
前記連接部及び２つの受け部がＵ字形を呈することを特徴とする請求項９に記載の靴べら。
【請求項１１】
前記連接部が半円形を呈することを特徴とする請求項１に記載の靴べら。
【考案の詳細な説明】
【技術分野】
【０００１】
本考案は、特に靴を履いたり脱いだりしやすくするための靴べらに関するものである。
【背景技術】
【０００２】
靴べらは、足を靴に入れやすくするための道具であり、通常、スプーン形状で滑らかな表面を有し、使用時、使用者のかかとをスプーン形状の滑らかな表面に沿って靴に入れ、その後、靴べらを靴から引き出すことができる。また、靴べらを使えば、使用者が靴を履くために指を靴のかかと部に挿入する必要がないことから、衛生対策に優れる。
【先行技術文献】
【特許文献】
【０００３】
【特許文献１】（特になし）
【考案の概要】
【考案が解決しようとする課題】
【０００４】
しかしながら、既存の靴べらは、以下の欠点を有する。
１．  既存の靴べらは所定の形状及び構造を有することから、靴を履く場合しか使えなくて、その靴を履くという補助機能しか提供できない。
２．  既存の靴べらは、誰でも簡単に使える道具ではなく、例えば、腰痛の人やしゃがんではいけない人にとっては使い難いものである。
３．  既存の靴べらの設計が悪いと、靴べらを何度も靴に挿入しても足を完全に入れられなくて、靴を履く効率が低下して履き難いという問題があった。
【課題を解決するための手段】
【０００５】
上述した問題を解決するために、本考案の靴べらを提供する。
本考案の靴べらは、本体を有しており、その本体は、
装着座を備える連接部と、
前記連接部の両端に設けられる、２つの受け部と、
靴のかかと部を挿入させて収容するために、前記連接部と２つの受け部との間に形成される、収容口と、
前記収容口と連通するように、前記２つの受け部において前記連接部と、それと反対側の端との間に形成された、導引口と、
それぞれ対向するように前記２つの受け部の内側縁から凸設される、２つの制限凸縁と、
一端に装着端が設けられると共に、該装着端が前記連接部の装着座に挿し込まれる、連接棒と、を備えている。
【０００６】
かかる靴べらにおいて、前記連接棒が湾曲状を呈することが好ましい。
【０００７】
かかる靴べらにおいて、前記連接棒が直線状を呈することが好ましい。
【０００８】
かかる靴べらにおいて、さらに履き補助道具を有し、該履き補助道具の一端に挿設端が設けられ、前記連接棒の一端に挿設端と連接した受け端が設けられることが好ましい。
【０００９】
かかる靴べらにおいて、前記２つの制限凸縁が受け部と一体に成形されることが好ましい。
【００１０】
かかる靴べらにおいて、前記本体に複数の強化リブが制限凸縁と連接するように設けられることが好ましい。
【００１１】
かかる靴べらにおいて、前記連接部と２つの受け部が一体に形成されることが好ましい。
【００１２】
かかる靴べらにおいて、前記連接部及び２つの受け部がＵ字形を呈することが好ましい。
【００１３】
かかる靴べらにおいて、前記連接部が半円形を呈することが好ましい。
【考案の効果】
【００１４】
本考案の靴べらは、連接部と、該連接部と連接した２つの受け部と、該連接部と受け部の間に形成された収容口を有することから、靴を履くまたは脱ぐ効率を高めることができる。また、本考案の靴べらは更に、連接棒を設置することから、靴べらの使用対象を拡大すると共に、実用性も高めることができる。一方、使用者が靴を履く時の効率を高めるために、履き補助道具を本体に挿設して、足を履き補助道具に沿って靴に入れて簡単に履くことができる。
【図面の簡単な説明】
【００１５】
【図１】本考案に係る靴べらの第一実施例の斜視図である。
【図２】本考案に係る靴べらの第一実施例の正面図である。
【図３】本考案に係る靴べらの第一実施例の底面図である。
【図４】本考案に係る靴べらの第二実施例の斜視図である。
【図５】本考案に係る靴べらの第三実施例の斜視図である。
【図６】本考案に係る靴べらの第四実施例の斜視図である。
【図７】本考案に係る靴べらの第五実施例の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
以下の記載について、「一方の部材が他方の部材に取り付けられる」との記載は、「一方の部材が直接に他方の部材に取り付けられてもよく、一方の部材が介在部材を介して他方の部材に取り付けられてもよい」の意味であり、すなわち、如何なる取付手段で取り付けるかに限らない。また、「一方の部材が他方の部材と連接する」の記載は、「一方の部材が直接に他方の部材に連接してもよく、一方の部材が介在部材を介して他方の部材に連接してもよい」の意味であり、すなわち、如何なる連接手段で連接するかに限らない。また、以下の記載について、「水平方向」や「垂直方向」、「左」、「右」などの説明は、本考案の実施例を説明するための用語（相対的な関係を示す用語）であることから、その用語に何ら限定されるものではない。
【００１８】
図１に示すように、本考案の靴べら１０の第一実施例は、本体１００を有する。本体１００は、Ｕ字形を呈し、連接部１１０及び２つの受け部１２０を備える。該連接部１１０は、靴のかかと部を挿入させるために、靴の形状に対応する半円形またはＵ字形に形成され、該２つの受け部１２０はそれぞれ、連接部１１０の両端に設けられ、例えば、連接部１１０の両端に対称となるように凸設され、使用する時、使用者が受け部１２０を用いて、両手で靴を脱ぐよりも簡単に靴を脱げる。前記連接部１１０は、２つの受け部１２０を連接するためのベースであることから、本体１００全体の構造強度を強化できる。前記連接部１１０と２つの受け部１２０が一体に形成されることが好ましい。また、前記２つの受け部１２０がＵ字形を呈するように一体に形成されることが好ましい。
【００１９】
一方、靴のかかと部を収容するために、前記本体１００における連接部１１０と２つの受け部１２０との間に収容口１３０が形成されている。該収容口１３０の形状及びサイズは靴のかかと部に対応するように形成され、該収容口１３０の形状及びサイズが靴のかかと部に合わない問題を避けるために、該収容口１３０の形状及びサイズが靴の所定のサイズによって形成され、それによれば、使用者が靴べらを用いては靴を脱げないという問題はない。他の実施例において、使用者の需要に応じて、それぞれの靴べらにそれぞれのサイズが異なる収容口１３０が形成されることは好ましい。
【００２０】
靴のかかと部を収容口１３０に収容するために、前記２つの受け部１２０における連接部１１０と反対する端との間に、該収容口１３０と連通する導引口１４０が開口され、靴のかかと部が導引口１４０を通して簡単に靴べらの収容口１３０に挿し入れられる。
【００２１】
前記連接部１１０及び受け部１２０はそれぞれ、滑らかな表面を備え、該滑らかな表面が本体１００の収容口１３０に面した内側面に形成され、研磨加工または研磨方法により構成され、耐磨耗性を備える硬質プラスチックからなる。前記滑らかな表面を有すれば、靴のかかと部を靴べらの収容口１３０に挿入する時、靴と靴べらとの摩擦により起した擦り傷を減少すると共に、靴も簡単に脱げることから、かかとが靴の開口から離れて靴を脱いでは靴を破損してしまう問題を防止できる。
【００２２】
図１及び図２に示すように、靴のかかと部を収容口１３０に収容して、本体１００を利用して靴のかかと部を保持しながら靴を簡単に脱ぐために、前記２つの受け部１２０にそれぞれ制限凸縁１５０が設けられ、該２つの制限凸縁１５０は、それぞれ対向するように２つの受け部１２０の内側縁から凸設され、靴のかかと部を靴べらから脱出しないように止めて位置決めする。一方、本考案の靴べらにおいて、製造プロセスを簡単にするために、前記２つの制限凸縁１５０が一体に形成されてもよく、前記２つの制限凸縁１５０が受け部１２０及び連接部１１０と一体に成形されてもよい。また、本考案の靴べらの適応性を高めるために、前記２つの制限凸縁１５０が一体に成形されると共にＵ字形のゴムストリップからなることが好ましい。
【００２３】
前記受け部１２０及び制限凸縁１５０が連接部１１０から前方かつ斜め下方へ延出するように設けられ、靴のかかと部を靴べらの収容口１３０に挿入した時、靴のかかと部が制限凸縁１５０の下方に位置して該制限凸縁１５０に止められて上方への移動を制限される。そのため、使用者が靴を脱ぐ時、制限凸縁１５０によって靴を上方へ移動することができないため、足を簡単に靴から脱出させることができる。
【００２４】
一方、靴を脱ぐ効率を高めるために、靴のかかと部と本体１００との接触面積を増加することが好ましい。図２に示すように、前記連接部１１０における収容口１３０側に固定部１６０が設けられ、該固定部１６０は、連接部１１０及び制限凸縁１５０の内側縁から下方へ突出すると共に、前記２つの制限凸縁１５０の間に位置するように一体に形成される。前記固定部１６０の底部に接触部分１８０が設けられ、該接触部分１８０は、耐磨耗性材料（例えば、熱可塑性エラストマー、ＴＰＥ）からなり、靴を脱ぐ時からの擦り傷または破損を抑える。
【００２５】
靴のかかと部を収容口１３０に挿入した時、靴のかかと部が固定部１６０と接触するため、固定部１６０及び制限凸縁１５０により靴のかかと部を上方への移動を止めて位置決めする。それによれば、靴を脱ぐ効率を高める。
【００２６】
さらに、靴を簡単に脱ぐまたは履くために、複数の滑り止め突起を設置し、それらの滑り止め突起は、ゴム材質からなり、固定部１６０の内側壁に円柱状または角柱状に設けられる。靴を収容口１３０に挿入する時、前記固定部１６０及び滑り止め突起が変形して靴を上方に移動させない抵抗力を生じ、その抵抗力を介して靴を本体１００に対して上方への移動を止めて靴を移動しないように位置決めする。そして、靴を収容口１３０から引き出すと、固定部１６０及び滑り止め突起が変形状態から元々の状態に戻る。
【００２７】
図３に示すように、本考案の靴べらを使用する時、制限凸縁１５０を脱落しないために、本体１００の制限凸縁１５０と受け部１２０の間に強化構造とする複数の強化リブ１７０が設けられている。それらの強化リブ１７０は、制限凸縁１５０及び固定部１６０と連接するように本体１００に設けられ、また、制限凸縁１５０及び固定部１６０と一体に形成されてもよい。前記強化構造が制限凸縁１５０と受け部１２０の間に設けられることによって、制限凸縁１５０と受け部１２０との構造強度を増加することから、使用者が靴べらを使用する時、大きいな力で靴べらを使用しても耐えられ、制限凸縁１５０または固定部１６０を破損したり脱落したりすることを防止できる。一方、前記複数の強化リブ１７０はそれぞれ十字形に配置されることが好ましい。
【００２８】
図４に示すように、本考案の靴べらの第二実施例は、殆ど第一実施例と同一であるが、靴べらの操作に利便性を高めるために、連接部１１０に装着座１１１が設けられる点において異なる。前記装着座１１１は、円柱形を呈し、上面の中心に装着凹部１１２が凹設され、該装着凹部１１２の内周面に複数の係合突起が設けられる。前記複数の係合突起が外部の延出部材を組み立てる。
【００２９】
本考案の靴べらは、装着座１１１を有すれば、実用性を拡大することができる。靴を脱ぐ時に、使用者が延出部材を装着座１１１の装着凹部１１２に挿し込んで利用することができ、延出部材を利用しない時には、延出部材が着脱可能に装着座１１１に取り付けられることから、使用者が延出部材を簡単に装着座１１１の装着凹部１１２から取り外すことができる。すなわち、使用者が需要に応じて靴べらの操作方法を自在に選択することができる。
【００３０】
図５に示すように、本考案の靴べら２０の第三実施例は、殆ど第二実施例と同一であるが、連接棒２００を設置する点において異なる。連接棒２００は、細長状を呈し、一端に装着端２０１が設けられ、該装着端２０１は、着脱可能に連接部１１０の装着座１１１に挿し込まれる。また、該装着端２０１が装着座１１１に嵌合されてもよく、螺合手段によって装着座１１１に螺合されてもよい。その連接棒２００が着脱可能に本体１００に取り付けられることから、それぞれを分解することができ、搬送または保存する時に利便性が高まる。
【００３１】
さらに、様々な使用者にも適用する、操作時の効率及び適応性を高めるために、連接棒２００が湾曲状を呈することが好ましい。すなわち、連接棒２００は、使用の対象によって細長状及び湾曲状を呈すると共に、さまざまなタイプに形成されてもよく、例えば、大人用の成人タイプや、子供用の子供タイプなどを提供する。そのうち、成人タイプの連接棒２００は、細長くて大幅に湾曲し、３０度の弧度かつ１００センチの長さとなり、子供タイプの連接棒２００では、短くて小幅に湾曲し、２０度の弧度かつ３０センチの長さとなる。そのため、使用者が身長や年齢などの条件によって適宜な連接棒２００を選べ、つまり、幅広い年齢層の使用者に適用し、また、腰痛の人も楽に使える。
【００３２】
図６に示すように、本考案の靴べら３０の第四実施例は、殆ど第三実施例と同一であるが、履き補助道具３００、及び、該履き補助道具３００と連接する連接棒２００の組立構造を有する点において異なる。前記履き補助道具３００を用いて、使用者の足をガイドして完全に靴に入れることができる。
【００３３】
前記履き補助道具３００の一端に挿設端３０１が設けられる。前記連接棒２００の上端に、挿設端３０１と連接する受け端２０２が設けられる。前記挿設端３０１及び受け端２０２は、互いに係合されてもよく、螺合手段によって着脱可能に螺合されてもよい。
【００３４】
前記履き補助道具３００を連接棒２００から取り外すことができることから、搬送または保存する時の利便性が高まる。靴べら３０を利用して靴を履く時、その履き補助道具３００を靴に挿し入れて、足が履き補助道具３００に沿って完全に靴に入ると、履き補助道具３００を靴から取り外す。
【００３５】
図７に示すように、本考案の靴べら３０’の第五実施例は、殆ど第四実施例と同一であるが、第四実施例の湾曲状の連接棒２００を有することと異なり、連接棒２００が全く直線状を呈するものである。
【００３６】
［まとめ］
本考案の靴べらは、連接部１１０と、該連接部１１０と連接した２つの受け部１２０と、該連接部１１０と受け部１２０の間に形成された収容口１３０を有することによって、靴を脱ぐ効率を高めることができる。また、連接棒２００を設置すれば、靴べらの使用対象を拡大すると共に、実用性を高めることができる。さらに、使用者が靴を履く時の効率を高めるために、履き補助道具３００を靴べらの本体１００に挿し入れて床方向に押圧しては、靴をしっかりと保持して履きやすくなる。
【００３７】
以上は本考案の好ましい実施形態の説明に過ぎず、本考案を如何なる形でも限定するものではない。当該分野の通常の知識を有する者が、本考案の技術要旨を逸脱しない範囲で、以上に開示された技術内容に基づいてなされた同等効果を有する如何なる簡単な修正或いは変更は、いずれも本考案の保護範囲内に含まれるものとする。
【符号の説明】
【００３８】
１０、２０、３０、３０’  靴べら
１００  本体
１１０  連接部
１１１  装着座
１１２  装着凹部
１２０  受け部
１３０  収容口
１４０  導引口
１５０  制限凸縁
１６０  固定部
１７０  強化リブ
１８０  接触部分
２００  連接棒
２０１  連接棒の装着端
２０２  連接棒の受け端（第二連接部）
３００  履き補助道具
３０１  履き補助道具の挿設端
【図１】
0003207771.tif 000003
【図２】
0003207771.tif 000004
【図３】
0003207771.tif 000005
【図４】
0003207771.tif 000006
【図５】
0003207771.tif 000007
【図６】
0003207771.tif 000008
【図７】
0003207771.tif 000009